(57)【要約】【課題】  従来のシートの自由端とロープを利用し、船底にシートを張装する構成では、船底がフラットか、付属品がない船舶には有効であるが、その他の船舶には適さず汎用性に欠けること、又はこの付属品を覆うための隠蔽手段又はシート等を必要とし不経済であること等の改良すべき点がある。【構成】  本発明は、船体の略全長に略等しい長さと、自由端側に多数の噛合歯を有するシートを、船体の少なくとも両側面に係止し、この噛合歯を係止具で係止・係脱するとともに、この係止具を船首側から船尾側に向かってロープで移動することで船底をシートで囲繞し、船底を隠蔽可能とした船底シートの引張方法である。貝等の水中生殖物を忌避できる。【選択図】      図１
2006298116.tif 000002
【特許請求の範囲】
【請求項１】
船体の略全長に略等しい長さを有し、しかもその自由端側（対峙側）端部に多数の噛合歯を有する係止手段を備えたシートの基端側を、この船体の少なくとも両側面に係止し、
この係止手段の多数の噛合歯は、この係止手段に設けた係止具を利用して係止及び／又は係脱可能であって、先ず、この係止具にロープを係止し、このロープの自由端を前記船体の船首側及び／又は船尾側の何れか一方に設けた状態を確保し、
次に、このロープの自由端を、船上に設けて順次手繰り、この手繰り操作で前記ロープの係止端を前記船底に導き、この係止端を前記船体の船首側から船尾側に向かって移動し、この係止具の移動で前記噛合歯を船首側から船尾側に向かって順次噛合し、
前述した噛合歯の噛合で、少なくとも前記船底をこのシートで囲繞し、この船底を隠蔽可能とした船底シートの引張方法。
【請求項２】
請求項１に記載の船体の船首側及び／又は船尾側の何れか一方に設けたロープ付きの係止具で、前記数個の噛合歯を噛合した後、竿、錘等の誘導手段で、係止具を船底及び／又は近傍に誘導する構成とした船底シートの引張方法。
【請求項３】
請求項１に記載のロープを船体の側面に倣って移動し、このロープが船上の付属品に絡みつくことを回避する構成とした船底シートの引張方法。
【請求項４】
請求項１に記載の船体の両側面に、シート隠蔽用のカバーを付設する構成とした船底シートの引張方法。
【請求項５】
請求項１に記載のシートを、前記船体の長手方向で複数に分割可能とする構成とした船底シートの引張方法。
【請求項６】
請求項５に記載の長手方向で複数に分割したシートの分割片が喫水線の上方に位置する構成とした船底シートの引張方法。
【発明の詳細な説明】
【技術分野】
【０００１】
本発明は、船底及び／又は喫水線の下側（船底とする）への貝殻、藻類等の付着物（原則として、貝とする）の生殖回避（生殖防止）を可能とした船底シートの引張方法に関する。
【背景技術】
【０００２】
小型船舶、ヨット、モーターボート等の各種船舶の船底、スクリュー、舵等の付属品に貝が付着（生殖）することから、定期的な清掃及び／又は走行が必要となり、その管理が大変である。また一度付着すると、その剥離及び／又は修理に手間と、費用を要する問題点もある。それがため、陸上に保管する方法、定期的な塗装を行う方法、又はシートでカバー（船底、スクリュー、舵等の付属品を隠蔽）する方法（例えば、特開２００３−１０４２８５、特開２００１−３９３８５等の先行文献、又は市販のシートがある）等が利用されている。
【０００３】
この陸上に保管する方法は、手間を要すること、船体に悪影響を与える場合があり、必ずしも有効な手段でない。また定期的な塗装を行う方法は、環境保護の面から問題を抱えている。そして、前記シートで隠蔽する方法は、船体の持上げ、海中での作業等の如く、面倒で、厄介な作業があり、少なからず問題があることと、シートの一括交換を要する経済面と、廃棄物の処理問題等の解決すべき点が挙げられる。
【０００４】
以上の改良点と、本発明の分割式シートで隠蔽する方式として、実開平５−５４１９９の「船底保護マット」がある。この考案は、水中で平面的に略均一と柔軟性のあるマットにより、喫水線のやや上のラインより下の全船底面を一枚か数枚のシートで隠蔽する構成であり、浮力を有するシートが船底に密着して、海水を排除すること、また装着の簡便化と、コストの低廉化を図ること等を意図する。
【０００５】
尚、船上における人の移動でシート材を張装する先行文献として、特開平１０−２２６３９３の「船体保護カバー」の考案がある。この考案は、袋状で略三角形のシートにロープを設け、このロープを保持し、このロープを操ることで、シートで船体全体を袋状に覆う構造である。
【０００６】
【特許文献１】実開平５−５４１９９
【特許文献２】特開平１０−２２６３９３
【発明の開示】
【発明が解決しようとする課題】
【０００７】
この文献（１）は、マリーナ等の特定の施設を備えた状態での着想を意図するので、汎用性に欠ける。またこの考案は、船底へのシートの密着により海水を排除する構成であるので、スクリュー、舵等の付属品の保護に関しては、別の方法が必要となり、面倒であること、合理性にかけること、一面的な保護シートの構造であること等の問題を抱えている。
【０００８】
また文献（２）は、シートの自由端とロープを利用し、船底にシートを張装する構成であるので、船底がフラットか、付属品がない船舶には有効であるが、その他の船舶（この種の船舶のほうが多い）には適さず汎用性に欠けること、又はこの付属品を覆うための隠蔽手段又はシート等を必要とし不経済であること等の改良すべき点がある。
【課題を解決するための手段】
【０００９】
請求項１の発明は、シートの長手方向の対峙側に設けた係止手段を、係止具とロープを介して噛合する構成であり、船上での操作を可能とすること、この船上での操作で船底及び／又はスクリュー、舵等の付属品（原則として付属品とする）等にシートを簡易に張装することを等を意図する。そして、シートを分割する構成として、前記の操作を可能とすることと、経済性の確保と、シートの交換の容易化等を図ること等を意図する。またロープを竿、錘等の誘導手段（引下げ手段）を利用し、船底及び／又は付属品を確実かつ簡易に隠蔽する（シートを張装する）ことを意図する。
【００１０】
請求項１は、船体の略全長に略等しい長さを有し、しかもその自由端側（対峙側）端部に多数の噛合歯を有する係止手段を備えたシートの基端側を、この船体の少なくとも両側面に係止し、
この係止手段の多数の噛合歯は、この係止手段に設けた係止具を利用して係止及び／又は係脱可能であって、先ず、この係止具にロープを係止し、このロープの自由端を前記船体の船首側及び／又は船尾側の何れか一方に設けた状態を確保し、
次に、このロープの自由端を、船上に設けて順次手繰り、この手繰り操作で前記ロープの係止端を前記船底に導き、この係止端を前記船体の船首側から船尾側に向かって移動し、この係止具の移動で前記噛合歯を船首側から船尾側に向かって順次噛合し、
前述した噛合歯の噛合で、少なくとも前記船底をこのシートで囲繞し、この船底を隠蔽可能とした船底シートの引張方法（張装方法）である。
【００１１】
請求項２の発明は、請求項１の目的を達成すること、この目的である船体の船首側等の隠蔽を行うに際し、誘導手段を利用した最適な方法で達成することを意図する。
【００１２】
請求項２は、請求項１に記載の船体の船首側及び／又は船尾側の何れか一方に設けたロープ付きの係止具で、前記数個の噛合歯を噛合した後、竿、錘等の誘導手段で、係止具を船底及び／又は近傍に誘導する構成とした船底シートの引張方法である。
【００１３】
請求項３の発明は、請求項１の目的を達成すること、この目的である船底等を隠蔽するためにロープを利用し、最適かつ簡便な方法で達成することを意図する。
【００１４】
請求項３は、請求項１に記載のロープを船体の側面に倣って移動し、このロープが船上の付属品に絡みつくことを回避する構成とした船底シートの引張方法である。
【００１５】
請求項４の発明は、請求項１の目的を達成すること、この目的であるシートを収容するためにシート隠蔽用のカバーを利用し、最適かつ簡便な方法で達成することを意図する。
【００１６】
請求項４は、請求項１に記載の船体の両側面に、シート隠蔽用のカバーを付設する構成とした船底シートの引張方法である。
【００１７】
請求項５の発明は、請求項１の目的を達成すること、この目的を達成するに最適なシートを提供することを意図する。
【００１８】
請求項５は、請求項１に記載のシートを、前記船体の長手方向で複数に分割可能とする構成とした船底シートの引張方法である。
【００１９】
請求項６の発明は、請求項５の目的を達成すること、汚染及び／又は貝殻が付着したシートを交換又は廃棄可能とし、シートの簡便で、経済性な取扱いを図ること、また簡易なシートによる隠蔽方法を達成すること等の特徴がある。
【００２０】
請求項６は、請求項５に記載の長手方向で複数に分割したシートの分割片が喫水線の上方に位置する構成とした船底シートの引張方法である。
【発明の効果】
【００２１】
請求項１の発明は、船体の略全長に略等しい長さを有し、しかもその自由端側（対峙側）端部に多数の噛合歯を有する係止手段を備えたシートの基端側を、船体の少なくとも両側面に係止し、
係止手段の多数の噛合歯は、係止手段に設けた係止具を利用して係止及び／又は係脱可能であって、先ず、係止具にロープを係止し、ロープの自由端を船体の船首側及び／又は船尾側の何れか一方に設けた状態を確保し、
次に、ロープの自由端を、船上に設けて順次手繰り、手繰り操作で前記ロープの係止端を船底に導き、係止端を船体の船首側から船尾側に向かって移動し、係止具の移動で前記噛合歯を船首側から船尾側に向かって順次噛合し、
前述した噛合歯の噛合で、少なくとも船底をシートで囲繞し、船底を隠蔽可能とした船底シートの引張方法である。
【００２２】
従って、請求項１は、シートの長手方向の対峙側に設けた係止手段を、係止具とロープを介して噛合する構成であり、船上での操作が可能となること、この船上での操作で船底及び／又はスクリュー、舵等の付属品（原則として付属品とする）等にシートを簡易に張装できること等の特徴がある。そして、シートを分割する構成として、前記の操作を可能とすることと、経済性の確保と、シートの交換の容易化等が図れること等の利点がある。またロープを竿、錘等の誘導手段（引下げ手段）を利用し、船底及び／又は付属品を確実かつ簡易に隠蔽できる（シートを張装できる）ことの実益がある。
【００２３】
請求項２の発明は、請求項１に記載の船体の船首側及び／又は船尾側の何れか一方に設けたロープ付きの係止具で、数個の噛合歯を噛合した後、竿、錘等の誘導手段で、係止具を船底及び／又は近傍に誘導する構成とした船底シートの引張方法である。
【００２４】
従って、請求項２は、請求項１の目的を達成できること、この目的である船体の船首側等の隠蔽を行うに際し、誘導手段を利用した最適な方法で達成できること等の特徴がある。
【００２５】
請求項３の発明は、請求項１に記載のロープを船体の側面に倣って移動し、ロープが船上の付属品に絡みつくことを回避する構成とした船底シートの引張方法である。
【００２６】
従って、請求項３は、請求項１の目的を達成できること、この目的である船底等を隠蔽するためにロープを利用し、最適かつ簡便な方法で達成できること等の特徴がある。
【００２７】
請求項４の発明は、請求項１に記載の船体の両側面に、シート隠蔽用のカバーを付設する構成とした船底シートの引張方法である。
【００２８】
従って、請求項４は、請求項１の目的を達成できること、この目的であるシートを収容するためにシート隠蔽用のカバーを利用し、最適かつ簡便な方法で達成できること等の特徴がある。
【００２９】
請求項５の発明は、請求項１に記載のシートを、前記船体の長手方向で複数に分割可能とする構成とした船底シートの引張方法である。
【００３０】
従って、請求項５は、請求項１の目的を達成すること、この目的を達成するに最適なシートを提供できること等の特徴がある。
【００３１】
請求項６は、請求項５に記載の長手方向で複数に分割したシートの分割片が喫水線の上方に位置する構成とした船底シートの引張方法である。
【００３２】
従って、請求項６は、請求項５の目的を達成できること、汚染及び／又は貝殻が付着したシートを交換又は廃棄可能とし、シートの簡便で、経済性な取扱いを図ること、また簡易なシートによる隠蔽方法を達成できること等の特徴がある。
【発明を実施するための最良の形態】
【００３３】
本発明の一例を説明する。
【００３４】
本発明の好適な一例の実施の形態を説明する図面は、図１は船体をシートで少なくとも船底を囲繞した状態の側面図、図２はシートを捲装しカバー内に収容した状態の側面図、図３はシートを船体の略全周面に捲装し、カバーで隠蔽した状態を示す正面図（船首側より視認した図）、図４はカバーを開放し、かつシートを海面に垂らした状態の正面図、図５は図４の平面図、図６はシートを海面に垂らした状態で、ロープを船尾側に引張った平面図、図７は係止具を誘導手段で船首側のシートの上端から、このシートの下端に移動する前段状態を示した正面図、図８−１は図７の係止具を誘導手段で船首側のシートの上端から、このシートの下端に移動し、この船首側の船底に至った状態を示した正面図、また図８−２は図８−１の側面図、図９−１は図８−１の係止具を誘導手段で船首側のシートの上端から下端の船底に至り、その後、ロープの引張りでシートの船尾側に至った状態を示した側面図、また図９−２は図９−１の背面図（船尾側より視認した図）、図１０−１は図９−２の状態より誘導手段を取外し、シートで船底を囲繞した状態（カバーの終了時）を示した側面図、図１０−２は図１０−１の正面図、図１０−３は図１０−１の背面図、図１１はシートの長手方向において複数に分割した方法の使用例を示した側面図、図１２は図１１の船尾側を示した正面図、図１３は喫水線に漬かったシートを廃棄する一例を示した模式図、また図１４−１はシートの他の分割方式を示した側面図、図１４−２は図１４−１の展開平面図である。
【００３５】
先ず、船底シートの構成を説明すると、図１〜図１０−３の例では、船体Ａの長手方向Ｘにおいて二分割２した方式を、また図１１〜図１３の例では、船体Ａの長手方向Ｘにおいて四分割２した方式を、さらに図１４−１、図１４−２の例では、船体Ａの幅方向Ｙ（長手方向Ｘと直交する方向）において三分割２した方式を、それぞれ示すが、一例であり他の分割２方式もあり得る。また分割２する枚数は限定されず、船体Ａの大きさ、形状又は希望と、海中Ｂの状態、シートの強度・物性等の各条件と希望等を考慮して必要時に決定する。
【００３６】
シート１は二枚又は数枚に分割２されており、このシートの基端側１００は船体Ａの略全長Ａ１（全周面）に係止又は着脱自在に係止され、その自由端側１０１には係止手段３が設けられている。この係止手段３は、雄側（一方）の噛合歯３００と、雌側（他方）の噛合歯３０１であり、この噛合歯３００、３０１の噛合を利用して分割２２２箇所の一体化を図る。尚、この噛合歯３００、３０１を面ファスナー等の他の手段で代替することも可能である。そして、この噛合歯３００、３０１の噛合及び／又は噛合解除は係止具４（スライダー）の移動で行い、原則として、誘導手段５により、海中Ｂに沈めるか、海中Ｂでの位置を確保する。
【００３７】
図中Ａ２は船首側、Ａ３は船尾側、Ａ４は船底、Ａ５は船上、Ａ６は付属品を示す。
【００３８】
次に船底Ａ４を隠蔽するシート１の張装方法を説明すると、図３の最初の状態（航海時も略同じ）で、シート１を船体Ａの略全長Ａ１（略全周面）に捲装し、この捲装したシート１を船体Ａに設けたカバー１０で隠蔽した状態である。このようにカバー１０で隠蔽することで、シート１の収容を容易にすること、又は航海を可能とすること等を意図する。しかし、図示しないがシート１は取外し収容する（又は船体Ａに取付け）ことも可能である。続いてシート１を捲装している紐１１を取外し、シート１を開放し、このシート１を海面に垂らした図４の状態が確保できる。このシート１は自重で海中Ｂに沈める場合と、海面に浮遊する場合とが考えられるが、何れの場合も原則として目的を達成できる。
【００３９】
そこで、係止具４で噛合歯３００、３０１の基を噛合し、この噛合歯３００、３０１の噛合を順次確保するために、先ず、係止具４を移動する。尚、以下、船首側Ａ２から船尾側Ａ３に向かってシート１を張装する方法を説明する。しかし、逆に船尾側Ａ３から船首側Ａ２に向かってシート１を張装する方法も可能であるが説明及び／又は図面は省略する。そして、この移動を図５、図６に示したロープ１２の操作と、手繰り等の手段を利用して行うこと、又は船上Ａ５での人の移動で行い、海中Ｂでの人の移動及び／又は厄介な操作を無くすことを意図し、次のような方法で行う。即ち、図７から図８−１、図８−２に示した状態であり、例えば、図７の如く、誘導手段５を活用し、係止具４を船首側Ａ２（逆の例では、船尾側Ａ３である。以下、省略する）の船底Ａ４に誘導するか、又は強制的に押し下げる等の方法を採用する。この方法により、当該係止具４の移動で、船首側Ａ２のシート１の上端に設けられた噛合歯３００、３０１から、この船首側Ａ２のシート１の下端迄に設けられた噛合歯３００、３０１が噛合されるとともに、この部位に設けられた噛合歯３００、３０１の噛合で、このシート１の船首側Ａ２の上端から当該船首側Ａ２の船底Ａ４に至る部位が合体されて前述の如く、図８−１、図８−２の状態となる。
【００４０】
その後、ロープ１２を引張り、係止具４を船尾側Ａ３の船底Ａ４に移動することで、図９−１の如く（参照）、前記シート１の船首側Ａ２の上端から、当該船尾側Ａ３の船底Ａ４に設けられた噛合歯３００、３０１が噛合され、かつこの部位のシート１が合体される。この状態まで、誘導手段５を海中Ｂに据え置くことが理想であるが、限定されず、例えば、ひとまず誘導手段５は船上Ａ５におくことも可能である。但し、この誘導手段５を海中Ｂに据え置くことは、係止具４の確実な移動と、シート１の波による動きを規制し、同様に当該係止具４の移動を図ることが理想である。そして、この際に、船舶の付属品Ａ６が通常は船底Ａ４より下がっていることから、誘導手段５（他の器具でも可能である）を利用し、この付属品Ａ６の下側に誘導するか、又は強制的に押し下げる等の方法を採用する。この状態を図９−２に示す。
【００４１】
続いて、ロープを引張り、船上Ａ５に引上げた誘導手段５等を活用し、係止具４を船尾側Ａ３の船底Ａ４から当該船上Ａ５に移動することで、図１０−１の如く、この船尾側Ａ３のシート１の下端に設けられた噛合歯３００、３０１から、この船尾側Ａ３のシート１の上端迄に設けられた噛合歯３００、３０１が噛合されるとともに、この部位に設けられた噛合歯３００、３０１の噛合で、このシート１の船尾側Ａ３の下端から当該船尾側Ａ３の船上Ａ５に至る部位が合体され、図１０−２、図１０−３の状態となる。またロープ１２及び／又はシート１の付属品Ａ６への絡み付きを回避できる利点がある。
【００４２】
以上の図３〜図１０−３に示した作業を終了することで、少なくとも船底Ａ４及び／又は付属品Ａ６はシート１で囲繞する（隠蔽される）。尚、シート１と船底Ａ４の隙間には、海水が若干入るが、貝、藻類の稚貝、胞子等の侵入防止と、海水の出入りが少なく、稚貝の生殖又は胞子等の生殖を低下させることが可能となり、従来の如く、この種の貝、藻類等の生殖を回避できること、また貝等の水中生殖物を忌避できること等の利点がある。そして、この例では、二分割２したシート１の交換は、原則として、一年をめどに交換する。また個別に交換することも可能である。このような交換方式は、経費の削減化、簡便化等に寄与できる。またシート１は清掃もあり得る（他の例も同じ）。
【００４３】
尚、シート１の取外しに対しては詳述しないが、前述張装する操作の逆で行うことを原則とする。
【００４４】
また図１１〜図１３の例では、シート１を喫水線Ｂ１の上方で噛合歯３０２、３０２（長手方向Ｘの両側）を有する分割２したシート１の（左右）分割片１０２（分割片１０２とする）を形成し、また下方には噛合歯３０３、３０３を有する分割２したシート１の（左右）分割本体１０３（分割本体１０３とする）を形成する。そして、図１１、図１２の如く、この分割片１０２と分割本体１０３は噛合歯３０２、３０３を係止具４００で噛合することで二枚のシート１とする構造である。そして、この噛合状態では前述の例と同様に、長手方向Ｘにおいても噛合歯３００、３０１により分割２する構成であり、その取扱いは前述の例に準ずる（一例である）。但し、分割片１０２で船体Ａの船尾側Ａ３は、補助の噛合歯３０４、３０５を設け、この噛合歯３０４、３０５を係止具４０１で係止する（船首側Ａ２は省略する）。そして、この例では、図１３に示すように、噛合歯３０２、３０２と噛合歯３０３、３０３の噛合を解除し、原則として分割本体１０３を廃棄することも可能であり、簡便化と、清掃の回避と、又は廃棄対象シート１（分割本体１０３）の減少化等を図ることを意図する。尚、係止具４０１の操作は、竿等の誘導手段５とか人手等で行う。また取外しは前述の例が基本であるが限定されない。
【００４５】
尚、図１４−１、図１４−２はシート１を船体Ａの幅方向Ｙで三分割２する方式であり、このシート１の分割２側の自由端側１０１には、噛合歯３００、３０１と係止具４がそれぞれ設けられている。またロープ１２も同様である。そして、この例では船首側Ａ２のシート１の端部に噛合歯３００、３０１を対峙して設け、この噛合歯３００、３０１を係止具４で噛合する。また船尾側Ａ３はシート１を延長して設け、この延長したシート１の端部に噛合歯３００、３０１を対峙して設け、この噛合歯３００、３０１を係止具４で噛合する。尚、この例では、ロープ１２を幅方向Ｙにおけるそれぞれの操作及び／又は必要により、船体Ａの側面、船首側Ａ２等における誘導手段５の使用を行うことで、この三分割のシート１を張装できる。尚、船首側Ａ２と船尾側Ａ３の噛合歯３００、３０１の噛合は、別体のロープ１２と誘導手段５を使用することで可能であり、他の方法は原則として前述の例に準ずる。またシート１で船底Ａ４を囲繞した方法では、別体のロープ１２のみの引張で船首側Ａ２と船尾側Ａ３の噛合歯３００、３０１を噛合することも可能であり、簡易である。そして、この例の如く、三分割２方式では、シート１の交換は、原則として、一年をめどに交換する。また個別に交換することも可能である。このような交換方式は、一層の経費の削減化、簡便化、ごみ発生の減少化等に寄与できる。
【００４６】
そして、本発明では、分割２の方法、数、方向等及び／又はシート１の数、方向等の各構造は図、又は説明の各例に限定されない。また以上の如く、各例とも各シート１の張装、ロープ１２の引張等の手順及び／又は方法、その構造は、船体Ａの構造、係留条件、気候条件等に区々であり、簡便かつ安全で、迅速な方法が採用される。
【図面の簡単な説明】
【００４７】
【図１】図１は船体をシートで少なくとも船底を囲繞した状態の側面図
【図２】図２はシートを捲装しカバー内に収容した状態の側面図
【図３】図３はシートを船体の略全周面に捲装し、カバーで隠蔽した状態を示す正面図（船首側より視認した図）
【図４】図４はカバーを開放し、かつシートを海面に垂らした状態の正面図
【図５】図５は図４の平面図
【図６】図６はシートを海面に垂らした状態で、ロープを船尾側に引張った平面図
【図７】図７は係止具を誘導手段で船首側のシートの上端から、このシートの下端に移動する前段状態を示した正面図
【図８−１】図８−１は図７の係止具を誘導手段で船首側のシートの上端から、このシートの下端に移動し、この船首側の船底に至った状態を示した正面図
【図８−２】図８−２は図８−１の側面図
【図９−１】図９−１は図８−１の係止具を誘導手段で船首側のシートの上端から下端の船底に至り、その後、ロープの引張りでシートの船尾側に至った状態を示した側面図
【図９−２】図９−２は図９−１の背面図（船尾側より視認した図）
【図１０−１】図１０−１は図９−２の状態より誘導手段を取外し、シートで船底を囲繞した状態(カバーの終了時)を示した側面図
【図１０−２】図１０−２は図１０−１の正面図
【図１０−３】図１０−３は図１０−１の背面図
【図１１】図１１はシートの長手方向において複数に分割した方法の使用例を示した側面図
【図１２】図１２は図１１の船尾側を示した正面図
【図１３】図１３は喫水線に漬かったシートを廃棄する一例を示した模式図
【図１４−１】図１４−１はシートの他の分割方式を示した側面図
【図１４−２】図１４−２は図１４−１の展開平面図
【符号の説明】
【００４８】
１                シート
１００            基端側
１０１            自由端側
１０２            シート１の分割片
１０３            シート１の分割本体
２                分割
３                係止手段
３００            噛合歯
３０１            噛合歯
３０２            噛合歯
３０３            噛合歯
３０４            噛合歯
３０５            噛合歯
４                係止具
４００            係止具
４０１            係止具
５                誘導手段
１０              カバー
１１              紐
１２              ロープ
Ａ                船体
Ａ１              略全長
Ａ２              船首側
Ａ３              船尾側
Ａ４              船底
Ａ５              船上
Ａ６              付属品
Ｂ                海中
Ｂ１              喫水線
Ｘ                長手方向
Ｙ                幅方向
【図１】
2006298116.tif 000003
【図２】
2006298116.tif 000004
【図３】
2006298116.tif 000005
【図４】
2006298116.tif 000006
【図５】
2006298116.tif 000007
【図６】
2006298116.tif 000008
【図７】
2006298116.tif 000009
【図８−１】
2006298116.tif 000010
【図８−２】
2006298116.tif 000011
【図９−１】
2006298116.tif 000012
【図９−２】
2006298116.tif 000013
【図１０−１】
2006298116.tif 000014
【図１０−２】
2006298116.tif 000015
【図１０−３】
2006298116.tif 000016
【図１１】
2006298116.tif 000017
【図１２】
2006298116.tif 000018
【図１３】
2006298116.tif 000019
【図１４−１】
2006298116.tif 000020
【図１４−２】
2006298116.tif 000021
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
船体の略全長に略等しい長さを有するシートは、その自由端側（対峙側）端部に、多数の噛合歯と、この多数の噛合歯の係止及び／又は係脱を図る係止具とを備えており、
このシートの基端側を、この船体の少なくとも両側面に係止し、またこの係止具に係止したロープの自由端を、前記船体の船首側及び／又は船尾側の何れか一方の船上に設け、
前記係止具の船底への移動と、この係止具に設けた船上に設けたロープの自由端の手繰り操作で、前記係止具を移動して、船首側の上端から船尾側の船底に設けられた前記噛合歯を噛合し、前記シートの自由端側端部を合体し、
この噛合歯の噛合を介して少なくとも前記船底を、このシートで囲繞し、この船底を隠蔽可能とした船底シートの引張方法。
【請求項２】
請求項１に記載の船底シートの引張方法であって、その船体の船首側及び／又は船尾側の何れか一方に設けたロープ付きの係止具で、数個の噛合歯を噛合した後、竿、錘等の誘導手段で、係止具を船底及び／又は船底の近傍に誘導する構成とした船底シートの引張方法。
【請求項３】
請求項１に記載の船底シートの引張方法であって、そのロープが船体の側面に倣って移動し、このロープが船上の付属品に絡みつくことを回避する構成とした船底シートの引張方法。
【請求項４】
請求項１に記載の船底シートの引張方法であって、その船体の両側面に、シート隠蔽用のカバーを付設する構成とした船底シートの引張方法。
【請求項５】
請求項１に記載の船底シートの引張方法であって、そのシートを、前記船体の長手方向で複数に分割可能とする構成とした船底シートの引張方法。
【請求項６】
請求項５に記載の船底シートの引張方法であって、その長手方向で複数に分割したシートの分割片が喫水線の上方に位置する構成とした船底シートの引張方法。
【手続補正２】
【補正対象書類名】明細書
【補正対象項目名】全文
【補正方法】変更
【補正の内容】
【発明の詳細な説明】
【技術分野】
【０００１】
本発明は、船底及び／又は喫水線の下側（船底とする）への貝殻、藻類等の付着物（原則として、貝とする）の生殖回避（生殖防止）を可能とした船底シートの引張方法に関する。
【背景技術】
【０００２】
小型船舶、ヨット、モーターボート等の各種船舶の船底、スクリュー、舵等の付属品に貝が付着（生殖）することから、定期的な清掃及び／又は走行が必要となり、その管理が大変である。また一度付着すると、その剥離及び／又は修理に手間と、費用を要する問題点もある。それがため、陸上に保管する方法、定期的な塗装を行う方法、又はシートでカバー（船底、スクリュー、舵等の付属品を隠蔽）する方法（例えば、特開２００３−１０４２８５、特開２００１−３９３８５等の先行文献、又は市販のシートがある）等が利用されている。
【０００３】
この陸上に保管する方法は、手間を要すること、船体に悪影響を与える場合があり、必ずしも有効な手段でない。また定期的な塗装を行う方法は、環境保護の面から問題を抱えている。そして、前記シートで隠蔽する方法は、船体の持上げ、海中での作業等の如く、面倒で、厄介な作業があり、少なからず問題があることと、シートの一括交換を要する経済面と、廃棄物の処理問題等の解決すべき点が挙げられる。
【０００４】
以上の改良点と、本発明の分割式シートで隠蔽する方式として、実開平５−５４１９９の「船底保護マット」がある。この考案は、水中で平面的に略均一と柔軟性のあるマットにより、喫水線のやや上のラインより下の全船底面を一枚か数枚のシートで隠蔽する構成であり、浮力を有するシートが船底に密着して、海水を排除すること、また装着の簡便化と、コストの低廉化を図ること等を意図する。
【０００５】
尚、船上における人の移動でシート材を張装する先行文献として、特開平１０−２２６３９３の「船体保護カバー」の考案がある。この考案は、袋状で略三角形のシートにロープを設け、このロープを保持し、このロープを操ることで、シートで船体全体を袋状に覆う構造である。
【０００６】
【特許文献１】実開平５−５４１９９
【特許文献２】特開平１０−２２６３９３
【発明の開示】
【発明が解決しようとする課題】
【０００７】
この文献（１）は、マリーナ等の特定の施設を備えた状態での着想を意図するので、汎用性に欠ける。またこの考案は、船底へのシートの密着により海水を排除する構成であるので、スクリュー、舵等の付属品の保護に関しては、別の方法が必要となり、面倒であること、合理性にかけること、一面的な保護シートの構造であること等の問題を抱えている。
【０００８】
また文献（２）は、シートの自由端とロープを利用し、船底にシートを張装する構成であるので、船底がフラットか、付属品がない船舶には有効であるが、その他の船舶（この種の船舶のほうが多い）には適さず汎用性に欠けること、又はこの付属品を覆うための隠蔽手段又はシート等を必要とし不経済であること等の改良すべき点がある。
【課題を解決するための手段】
【０００９】
請求項１の発明は、シートの長手方向の対峙側に設けた係止手段を、係止具とロープを介して噛合する構成であり、船上での操作を可能とすること、この船上での操作で船底及び／又はスクリュー、舵等の付属品（原則として付属品とする）等にシートを簡易に張装することを等を意図する。そして、シートを分割する構成として、前記の操作を可能とすることと、経済性の確保と、シートの交換の容易化等を図ること等を意図する。またロープを竿、錘等の誘導手段（引下げ手段）を利用し、船底及び／又は付属品を確実かつ簡易に隠蔽する（シートを張装する）ことを意図する。さらに本発明は、船底でシートを合体させる構成とし、海水の出入りが少なく、稚貝の生殖又は胞子等の生殖を低下させることを意図する。
【００１０】
請求項１は、船体の略全長に略等しい長さを有するシートは、その自由端側（対峙側）端部に、多数の噛合歯と、この多数の噛合歯の係止及び／又は係脱を図る係止具とを備えており、
このシートの基端側を、この船体の少なくとも両側面に係止し、またこの係止具に係止したロープの自由端を、前記船体の船首側及び／又は船尾側の何れか一方の船上に設け、
前記係止具の船底への移動と、この係止具に設けた船上に設けたロープの自由端の手繰り操作で、前記係止具を移動して、船首側の上端から船尾側の船底に設けられた前記噛合歯を噛合し、前記シートの自由端側端部を合体し、
この噛合歯の噛合を介して少なくとも前記船底を、このシートで囲繞し、この船底を隠蔽可能とした船底シートの引張方法（張装方法）である。
【００１１】
請求項２の発明は、請求項１の目的を達成すること、この目的である船体の船首側等の隠蔽を行うに際し、誘導手段を利用した最適な方法で達成することを意図する。
【００１２】
請求項２は、請求項１に記載の船底シートの引張方法であって、その船体の船首側及び／又は船尾側の何れか一方に設けたロープ付きの係止具で、前記数個の噛合歯を噛合した後、竿、錘等の誘導手段で、係止具を船底及び／又は近傍に誘導する構成とした船底シートの引張方法である。
【００１３】
請求項３の発明は、請求項１の目的を達成すること、この目的である船底等を隠蔽するためにロープを利用し、最適かつ簡便な方法で達成することを意図する。
【００１４】
請求項３は、請求項１に記載の船底シートの引張方法であって、そのロープが船体の側面に倣って移動し、このロープが船上の付属品に絡みつくことを回避する構成とした船底シートの引張方法である。
【００１５】
請求項４の発明は、請求項１の目的を達成すること、この目的であるシートを収容するためにシート隠蔽用のカバーを利用し、最適かつ簡便な方法で達成することを意図する。  
【００１６】
請求項４は、請求項１に記載の船底シートの引張方法であって、その船体の両側面に、シート隠蔽用のカバーを付設する構成とした船底シートの引張方法である。
【００１７】
請求項５の発明は、請求項１の目的を達成すること、この目的を達成するに最適なシートを提供することを意図する。
【００１８】
請求項５は、請求項１に記載の船底シートの引張方法であって、そのシートを、前記船体の長手方向で複数に分割可能とする構成とした船底シートの引張方法である。
【００１９】
請求項６の発明は、請求項５の目的を達成すること、汚染及び／又は貝殻が付着したシートを交換又は廃棄可能とし、シートの簡便で、経済性な取扱いを図ること、また簡易なシートによる隠蔽方法を達成すること等の特徴がある。
【００２０】
請求項６は、請求項５に記載の船底シートの引張方法であって、その長手方向で複数に分割したシートの分割片が喫水線の上方に位置する構成とした船底シートの引張方法である。
【発明の効果】
【００２１】
請求項１の発明は、船体の略全長に略等しい長さを有するシートは、自由端側（対峙側）端部に、多数の噛合歯と、多数の噛合歯の係止及び／又は係脱を図る係止具とを備えており、
シートの基端側を、船体の少なくとも両側面に係止し、また係止具に係止したロープの自由端を、船体の船首側及び／又は船尾側の何れか一方の船上に設け、
係止具の船底への移動と、係止具に設けた船上に設けたロープの自由端の手繰り操作で、係止具を移動して、船首側の上端から船尾側の船底に設けられた噛合歯を噛合し、シートの自由端側端部を合体し、
噛合歯の噛合を介して少なくとも船底を、シートで囲繞し、船底を隠蔽可能とした船底シートの引張方法である。
【００２２】
従って、請求項１は、シートの長手方向の対峙側に設けた係止手段を、係止具とロープを介して噛合する構成であり、船上での操作が可能となること、この船上での操作で船底及び／又はスクリュー、舵等の付属品（原則として付属品とする）等にシートを簡易に張装できること等の特徴がある。そして、シートを分割する構成として、前記の操作を可能とすることと、経済性の確保と、シートの交換の容易化等が図れること等の利点がある。またロープを竿、錘等の誘導手段（引下げ手段）を利用し、船底及び／又は付属品を確実かつ簡易に隠蔽できる（シートを張装できる）ことの実益がある。さらに本発明は、船底でシートを合体させる構成であるので、海水の出入りが少なく、稚貝の生殖又は胞子等の生殖を低下させることが可能となり有益である。
【００２３】
請求項２の発明は、請求項１に記載の船底シートの引張方法であって、その船体の船首側及び／又は船尾側の何れか一方に設けたロープ付きの係止具で、数個の噛合歯を噛合した後、竿、錘等の誘導手段で、係止具を船底及び／又は近傍に誘導する構成とした船底シートの引張方法である。
【００２４】
従って、請求項２は、請求項１の目的を達成できること、この目的である船体の船首側等の隠蔽を行うに際し、誘導手段を利用した最適な方法で達成できること等の特徴がある。
【００２５】
請求項３の発明は、請求項１に記載のロープが船体の側面に倣って移動し、ロープが船上の付属品に絡みつくことを回避する構成とした船底シートの引張方法である。
【００２６】
従って、請求項３は、請求項１の目的を達成できること、この目的である船底等を隠蔽するためにロープを利用し、最適かつ簡便な方法で達成できること等の特徴がある。
【００２７】
請求項４の発明は、請求項１に記載の船底シートの引張方法であって、その船体の両側面に、シート隠蔽用のカバーを付設する構成とした船底シートの引張方法である。
【００２８】
従って、請求項４は、請求項１の目的を達成できること、この目的であるシートを収容するためにシート隠蔽用のカバーを利用し、最適かつ簡便な方法で達成できること等の特徴がある。
【００２９】
請求項５の発明は、請求項１に記載の船底シートの引張方法であって、そのシートを、前記船体の長手方向で複数に分割可能とする構成とした船底シートの引張方法である。
【００３０】
従って、請求項５は、請求項１の目的を達成すること、この目的を達成するに最適なシートを提供できること等の特徴がある。
【００３１】
請求項６は、請求項５に記載の船底シートの引張方法であって、その長手方向で複数に分割したシートの分割片が喫水線の上方に位置する構成とした船底シートの引張方法である。
【００３２】
従って、請求項６は、請求項５の目的を達成できること、汚染及び／又は貝殻が付着したシートを交換又は廃棄可能とし、シートの簡便で、経済性な取扱いを図ること、また簡易なシートによる隠蔽方法を達成できること等の特徴がある。
【発明を実施するための最良の形態】
【００３３】
本発明の一例を説明する。
【００３４】
本発明の好適な一例の実施の形態を説明する図面は、図１は船体をシートで少なくとも船底を囲繞した状態の側面図、図２はシートを捲装しカバー内に収容した状態の側面図、図３はシートを船体の略全周面に捲装し、カバーで隠蔽した状態を示す正面図（船首側より視認した図）、図４はカバーを開放し、かつシートを海面に垂らした状態の正面図、図５は図４の平面図、図６はシートを海面に垂らした状態で、ロープを船尾側に引張った平面図、図７は係止具を誘導手段で船首側のシートの上端から、このシートの下端に移動する前段状態を示した正面図、図８−１は図７の係止具を誘導手段で船首側のシートの上端から、このシートの下端に移動し、この船首側の船底に至った状態を示した正面図、また図８−２は図８−１の側面図、図９−１は図８−１の係止具を誘導手段で船首側のシートの上端から下端の船底に至り、その後、ロープの引張りでシートの船尾側に至った状態を示した側面図、また図９−２は図９−１の背面図（船尾側より視認した図）、図１０−１は図９−２の状態より誘導手段を取外し、シートで船底を囲繞した状態（カバーの終了時）を示した側面図、図１０−２は図１０−１の正面図、図１０−３は図１０−１の背面図、図１１はシートの長手方向において複数に分割した方法の使用例を示した側面図、図１２は図１１の船尾側を示した正面図、図１３は喫水線に漬かったシートを廃棄する一例を示した模式図、また図１４−１はシートの他の分割方式を示した側面図、図１４−２は図１４−１の展開平面図である。
【００３５】
先ず、船底シートの構成を説明すると、図１〜図１０−３の例では、船体Ａの長手方向Ｘにおいて二分割２した方式を、また図１１〜図１３の例では、船体Ａの長手方向Ｘにおいて四分割２した方式を、さらに図１４−１、図１４−２の例では、船体Ａの幅方向Ｙ（長手方向Ｘと直交する方向）において三分割２した方式を、それぞれ示すが、一例であり他の分割２方式もあり得る。また分割２する枚数は限定されず、船体Ａの大きさ、形状又は希望と、海中Ｂの状態、シートの強度・物性等の各条件と希望等を考慮して必要時に決定する。
【００３６】
シート１は二枚又は数枚に分割２されており、このシートの基端側１００は船体Ａの略全長Ａ１（全周面）に係止又は着脱自在に係止され、その自由端側１０１には係止手段３が設けられている。この係止手段３は、雄側（一方）の噛合歯３００と、雌側（他方）の噛合歯３０１であり、この噛合歯３００、３０１の噛合を利用して分割２箇所の一体化を図る。尚、この噛合歯３００、３０１を面ファスナー等の他の手段で代替することも可能である。そして、この噛合歯３００、３０１の噛合及び／又は噛合解除は係止具４（スライダー）の移動で行い、原則として、誘導手段５により、海中Ｂに沈めるか、海中Ｂでの位置を確保する。
【００３７】
図中Ａ２は船首側、Ａ３は船尾側、Ａ４は船底、Ａ５は船上、Ａ６は付属品を示す。
【００３８】
次に船底Ａ４を隠蔽するシート１の張装方法を説明すると、図３の最初の状態（航海時も略同じ）で、シート１を船体Ａの略全長Ａ１（略全周面）に捲装し、この捲装したシート１を船体Ａに設けたカバー１０で隠蔽した状態である。このようにカバー１０で隠蔽することで、シート１の収容を容易にすること、又は航海を可能とすること等を意図する。しかし、図示しないがシート１は取外し収容する（又は船体Ａに取付け）ことも可能である。続いてシート１を捲装している紐１１を取外し、シート１を開放し、このシート１を海面に垂らした図４の状態が確保できる。このシート１は自重で海中Ｂに沈める場合と、海面に浮遊する場合とが考えられるが、何れの場合も原則として目的を達成できる。
【００３９】
そこで、係止具４で噛合歯３００、３０１の基を噛合し、この噛合歯３００、３０１の噛合を順次確保するために、先ず、係止具４を移動する。尚、以下、船首側Ａ２から船尾側Ａ３に向かってシート１を張装する方法を説明する。しかし、逆に船尾側Ａ３から船首側Ａ２に向かってシート１を張装する方法も可能であるが説明及び／又は図面は省略する。そして、この移動を図５、図６に示したロープ１２の操作と、手繰り等の手段を利用して行うこと、又は船上Ａ５での人の移動で行い、海中Ｂでの人の移動及び／又は厄介な操作を無くすことを意図し、次のような方法で行う。即ち、図７から図８−１、図８−２に示した状態であり、例えば、図７の如く、誘導手段５を活用し、係止具４を船首側Ａ２（逆の例では、船尾側Ａ３である。以下、省略する）の船底Ａ４に誘導するか、又は強制的に押し下げる等の方法を採用する。この方法により、当該係止具４の移動で、船首側Ａ２のシート１の上端に設けられた噛合歯３００、３０１から、この船首側Ａ２のシート１の下端迄に設けられた噛合歯３００、３０１が噛合されるとともに、この部位に設けられた噛合歯３００、３０１の噛合で、このシート１の船首側Ａ２の上端から当該船首側Ａ２の船底Ａ４に至る部位が合体されて前述の如く、図８−１、図８−２の状態となる。
【００４０】
その後、ロープ１２を引張り、係止具４を船尾側Ａ３の船底Ａ４に移動することで、図９−１の如く（参照）、前記シート１の船首側Ａ２の上端から、当該船尾側Ａ３の船底Ａ４に設けられた噛合歯３００、３０１が噛合され、かつこの部位のシート１が合体される。この状態まで、誘導手段５を海中Ｂに据え置くことが理想であるが、限定されず、例えば、ひとまず誘導手段５は船上Ａ５におくことも可能である。但し、この誘導手段５を海中Ｂに据え置くことは、係止具４の確実な移動と、シート１の波による動きを規制し、同様に当該係止具４の移動を図ることが理想である。そして、この際に、船舶の付属品Ａ６が通常は船底Ａ４より下がっていることから、誘導手段５（他の器具でも可能である）を利用し、この付属品Ａ６の下側に誘導するか、又は強制的に押し下げる等の方法を採用する。この状態を図９−２に示す。
【００４１】
続いて、ロープを引張り、船上Ａ５に引上げた誘導手段５等を活用し、係止具４を船尾側Ａ３の船底Ａ４から当該船上Ａ５に移動することで、図１０−１の如く、この船尾側Ａ３のシート１の下端に設けられた噛合歯３００、３０１から、この船尾側Ａ３のシート１の上端迄に設けられた噛合歯３００、３０１が噛合されるとともに、この部位に設けられた噛合歯３００、３０１の噛合で、このシート１の船尾側Ａ３の下端から当該船尾側Ａ３の船上Ａ５に至る部位が合体され、図１０−２、図１０−３の状態となる。またロープ１２及び／又はシート１の付属品Ａ６への絡み付きを回避できる利点がある。
【００４２】
以上の図３〜図１０−３に示した作業を終了することで、少なくとも船底Ａ４及び／又は付属品Ａ６はシート１で囲繞する（隠蔽される）。尚、シート１と船底Ａ４の隙間には、海水が若干入るが、貝、藻類の稚貝、胞子等の侵入防止と、海水の出入りが少なく、稚貝の生殖又は胞子等の生殖を低下させることが可能となり、従来の如く、この種の貝、藻類等の生殖を回避できること、また貝等の水中生殖物を忌避できること等の利点がある。そして、この例では、二分割２したシート１の交換は、原則として、一年をめどに交換する。また個別に交換することも可能である。このような交換方式は、経費の削減化、簡便化等に寄与できる。またシート１は清掃もあり得る（他の例も同じ）。
【００４３】
尚、シート１の取外しに対しては詳述しないが、前述張装する操作の逆で行うことを原則とする。
【００４４】
また図１１〜図１３の例では、シート１を喫水線Ｂ１の上方で噛合歯３０２、３０２（長手方向Ｘの両側）を有する分割２したシート１の（左右）分割片１０２（分割片１０２とする）を形成し、また下方には噛合歯３０３、３０３を有する分割２したシート１の（左右）分割本体１０３（分割本体１０３とする）を形成する。そして、図１１、図１２の如く、この分割片１０２と分割本体１０３は噛合歯３０２、３０３を係止具４００で噛合することで二枚のシート１とする構造である。そして、この噛合状態では前述の例と同様に、長手方向Ｘにおいても噛合歯３００、３０１により分割２する構成であり、その取扱いは前述の例に準ずる（一例である）。但し、分割片１０２で船体Ａの船尾側Ａ３は、補助の噛合歯３０４、３０５を設け、この噛合歯３０４、３０５を係止具４０１で係止する（船首側Ａ２は省略する）。そして、この例では、図１３に示すように、噛合歯３０２、３０２と噛合歯３０３、３０３の噛合を解除し、原則として分割本体１０３を廃棄することも可能であり、簡便化と、清掃の回避と、又は廃棄対象シート１（分割本体１０３）の減少化等を図ることを意図する。尚、係止具４０１の操作は、竿等の誘導手段５とか人手等で行う。また取外しは前述の例が基本であるが限定されない。
【００４５】
尚、図１４−１、図１４−２はシート１を船体Ａの幅方向Ｙで三分割２する方式であり、このシート１の分割２側の自由端側１０１には、噛合歯３００、３０１と係止具４がそれぞれ設けられている。またロープ１２も同様である。そして、この例では船首側Ａ２のシート１の端部に噛合歯３００、３０１を対峙して設け、この噛合歯３００、３０１を係止具４で噛合する。また船尾側Ａ３はシート１を延長して設け、この延長したシート１の端部に噛合歯３００、３０１を対峙して設け、この噛合歯３００、３０１を係止具４で噛合する。尚、この例では、ロープ１２を幅方向Ｙにおけるそれぞれの操作及び／又は必要により、船体Ａの側面、船首側Ａ２等における誘導手段５の使用を行うことで、この三分割のシート１を張装できる。尚、船首側Ａ２と船尾側Ａ３の噛合歯３００、３０１の噛合は、別体のロープ１２と誘導手段５を使用することで可能であり、他の方法は原則として前述の例に準ずる。またシート１で船底Ａ４を囲繞した方法では、別体のロープ１２のみの引張で船首側Ａ２と船尾側Ａ３の噛合歯３００、３０１を噛合することも可能であり、簡易である。そして、この例の如く、三分割２方式では、シート１の交換は、原則として、一年をめどに交換する。また個別に交換することも可能である。このような交換方式は、一層の経費の削減化、簡便化、ごみ発生の減少化等に寄与できる。
【００４６】
そして、本発明では、分割２の方法、数、方向等及び／又はシート１の数、方向等の各構造は図、又は説明の各例に限定されない。また以上の如く、各例とも各シート１の張装、ロープ１２の引張等の手順及び／又は方法、その構造は、船体Ａの構造、係留条件、気候条件等に区々であり、簡便かつ安全で、迅速な方法が採用される。
【図面の簡単な説明】
【００４７】
【図１】図１は船体をシートで少なくとも船底を囲繞した状態の側面図
【図２】図２はシートを捲装しカバー内に収容した状態の側面図
【図３】図３はシートを船体の略全周面に捲装し、カバーで隠蔽した状態を示す正面    図（船首側より視認した図）
【図４】図４はカバーを開放し、かつシートを海面に垂らした状態の正面図
【図５】図５は図４の平面図
【図６】図６はシートを海面に垂らした状態で、ロープを船尾側に引張った平面図
【図７】図７は係止具を誘導手段で船首側のシートの上端から、このシートの下端に移動する前段状態を示した正面図
【図８−１】図８−１は図７の係止具を誘導手段で船首側のシートの上端から、このシートの下端に移動し、この船首側の船底に至った状態を示した正面図
【図８−２】図８−２は図８−１の側面図
【図９−１】図９−１は図８−１の係止具を誘導手段で船首側のシートの上端から下端の船底に至り、その後、ロープの引張りでシートの船尾側に至った状態を示した側面図
【図９−２】図９−２は図９−１の背面図（船尾側より視認した図）
【図１０−１】図１０−１は図９−２の状態より誘導手段を取外し、シートで船底を囲繞した状態(カバーの終了時)を示した側面図
【図１０−２】図１０−２は図１０−１の正面図
【図１０−３】図１０−３は図１０−１の背面図
【図１１】図１１はシートの長手方向において複数に分割した方法の使用例を示した側面図
【図１２】図１２は図１１の船尾側を示した正面図
【図１３】図１３は喫水線に漬かったシートを廃棄する一例を示した模式図
【図１４−１】図１４−１はシートの他の分割方式を示した側面図
【図１４−２】図１４−２は図１４−１の展開平面図
【符号の説明】
【００４８】
１                シート
１００            基端側
１０１            自由端側
１０２            シート１の分割片
１０３            シート１の分割本体
２                分割
３                係止手段
３００            噛合歯
３０１            噛合歯
３０２            噛合歯
３０３            噛合歯
３０４            噛合歯
３０５            噛合歯
４                係止具
４００            係止具
４０１            係止具
５                誘導手段
１０              カバー
１１              紐
１２              ロープ
Ａ                船体
Ａ１              略全長
Ａ２              船首側
Ａ３              船尾側
Ａ４              船底
Ａ５              船上
Ａ６              付属品
Ｂ                海中
Ｂ１              喫水線
Ｘ                長手方向
Ｙ                幅方向
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
船体の船底を囲繞できる大きさを有するシートは、このシートの長手方向、又は長手方向と直交する幅方向で複数に分割されており、この分割されたシートが合体するための噛合歯を設けるシートの端部を自由端側端部とし、船体に係止するためのシートの端側を基端側とし、この分割されたシートの自由端側端部に多数の噛合歯をそれぞれ設け、この多数の噛合歯同士の係止及び／又は係脱を図る係止具を設けた構成であって、
このシートの基端側を、この船体の略全長の少なくとも一側面に係止し、またこの係止具に係止したロープの自由端を、前記船体の船上に設け、この船上に設けたロープの自由端の手繰り操作で、船首側又は船尾側より船底に前記係止具を移動して、前記複数に分割されたシートの各自由端側端部にそれぞれ設けられた前記噛合歯同士を噛合することで、前記シートの各自由端側端部同士を合体し、前記係止具を船尾側又は船首側に移動し、
この噛合歯の噛合を介して少なくとも、前記船体の船底を、前記シートで囲繞し、この船底を隠蔽可能とした船底シートの引張方法。
【請求項２】
請求項１に記載の船底シートの引張方法であって、船上に設けたロープの自由端の手繰り操作で、船首側又は船尾側より船底に前記係止具を移動することにかえて、前記ロープ及び係止具を、竿、錘等の誘導手段で、船底及び／又は船底の近傍に誘導する構成とした船底シートの引張方法。
【請求項３】
請求項１に記載の船底シートの引張方法であって、そのロープが船体の側面に倣って移動し、このロープが船上の付属品に絡みつくことを回避する構成とした船底シートの引張方法。
【請求項４】
請求項１に記載の船底シートの引張方法であって、その船体の両側面に、シート隠蔽用のカバーを付設する構成とした船底シートの引張方法。
【手続補正２】
【補正対象書類名】明細書
【補正対象項目名】全文
【補正方法】変更
【補正の内容】
【発明の詳細な説明】
【技術分野】
【０００１】
本発明は、船底及び／又は喫水線の下側（船底とする）への貝殻、藻類等の付着物（原則として、貝とする）の生殖回避（生殖防止）を可能とした船底シートの引張方法に関する。
【背景技術】
【０００２】
小型船舶、ヨット、モーターボート等の各種船舶の船底、スクリュー、舵等の付属品に貝が付着（生殖）することから、定期的な清掃及び／又は走行が必要となり、その管理が大変である。また一度付着すると、その剥離及び／又は修理に手間と、費用を要する問題点もある。それがため、陸上に保管する方法、定期的な塗装を行う方法、又はシートでカバー（船底、スクリュー、舵等の付属品を隠蔽）する方法（例えば、特開２００３−１０４２８５、特開２００１−３９３８５等の先行文献、又は市販のシートがある）等が利用されている。
【０００３】
この陸上に保管する方法は、手間を要すること、船体に悪影響を与える場合があり、必ずしも有効な手段でない。また定期的な塗装を行う方法は、環境保護の面から問題を抱えている。そして、前記シートで隠蔽する方法は、船体の持上げ、海中での作業等の如く、面倒で、厄介な作業があり、少なからず問題があることと、シートの一括交換を要する経済面と、廃棄物の処理問題等の解決すべき点が挙げられる。
【０００４】
以上の改良点と、本発明の分割式シートで隠蔽する方式として、実開平５−５４１９９の「船底保護マット」がある。この考案は、水中で平面的に略均一と柔軟性のあるマットにより、喫水線のやや上のラインより下の全船底面を一枚か数枚のシートで隠蔽する構成であり、浮力を有するシートが船底に密着して、海水を排除すること、また装着の簡便化と、コストの低廉化を図ること等を意図する。
【０００５】
尚、船上における人の移動でシート材を張装する先行文献として、特開平１０−２２６３９３の「船体保護カバー」の考案がある。この考案は、袋状で略三角形のシートにロープを設け、このロープを保持し、このロープを操ることで、シートで船体全体を袋状に覆う構造である。
【０００６】
【特許文献１】実開平５−５４１９９
【特許文献２】特開平１０−２２６３９３
【発明の開示】
【発明が解決しようとする課題】
【０００７】
この文献（１）は、マリーナ等の特定の施設を備えた状態での着想を意図するので、汎用性に欠ける。またこの考案は、船底へのシートの密着により海水を排除する構成であるので、スクリュー、舵等の付属品の保護に関しては、別の方法が必要となり、面倒であること、合理性にかけること、一面的な保護シートの構造であること等の問題を抱えている。
【０００８】
また文献（２）は、シートの自由端とロープを利用し、船底にシートを張装する構成であるので、船底がフラットか、付属品がない船舶には有効であるが、その他の船舶（この種の船舶のほうが多い）には適さず汎用性に欠けること、又はこの付属品を覆うための隠蔽手段又はシート等を必要とし不経済であること等の改良すべき点がある。
【課題を解決するための手段】
【０００９】
請求項１の発明は、シートの長手方向の対峙側に設けた係止手段を、係止具とロープを介して噛合する構成であり、船上での操作を可能とすること、この船上での操作で船底及び／又はスクリュー、舵等の付属品（原則として付属品とする）等にシートを簡易に張装することを等を意図する。そして、シートを分割する構成として、前記の操作を可能とすることと、経済性の確保と、シートの交換の容易化等を図ること等を意図する。またロープを竿、錘等の誘導手段（引下げ手段）を利用し、船底及び／又は付属品を確実かつ簡易に隠蔽する（シートを張装する）ことを意図する。さらに本発明は、船底でシートを合体させる構成とし、海水の出入りが少なく、稚貝の生殖又は胞子等の生殖を低下させることを意図する。
【００１０】
請求項１は、船体の船底を囲繞できる大きさを有するシートは、このシートの長手方向、又は長手方向と直交する幅方向で複数に分割されており、この分割されたシートが合体するための噛合歯を設けるシートの端部を自由端側端部とし、船体に係止するためのシートの端側を基端側とし、この分割されたシートの自由端側端部に多数の噛合歯をそれぞれ設け、この多数の噛合歯同士の係止及び／又は係脱を図る係止具を設けた構成であって、
このシートの基端側を、この船体の略全長の少なくとも一側面に係止し、またこの係止具に係止したロープの自由端を、前記船体の船上に設け、この船上に設けたロープの自由端の手繰り操作で、船首側又は船尾側より船底に前記係止具を移動して、前記複数に分割されたシートの各自由端側端部にそれぞれ設けられた前記噛合歯同士を噛合することで、前記シートの各自由端側端部同士を合体し、前記係止具を船尾側又は船首側に移動し、
この噛合歯の噛合を介して少なくとも、前記船体の船底を、前記シートで囲繞し、この船底を隠蔽可能とした船底シートの引張方法である。
【００１１】
請求項２の発明は、請求項１の目的を達成すること、この目的である船体の船首側等の隠蔽を行うに際し、誘導手段を利用した最適な方法で達成することを意図する。
【００１２】
請求項２は、請求項１に記載の船底シートの引張方法であって、船上に設けたロープの自由端の手繰り操作で、船首側又は船尾側より船底に前記係止具を移動することにかえて、前記ロープ及び係止具を、竿、錘等の誘導手段で、船底及び／又は船底の近傍に誘導する構成とした船底シートの引張方法である。
【００１３】
請求項３の発明は、請求項１の目的を達成すること、この目的である船底等を隠蔽するためにロープを利用し、最適かつ簡便な方法で達成することを意図する。
【００１４】
請求項３は、請求項１に記載の船底シートの引張方法であって、そのロープが船体の側面に倣って移動し、このロープが船上の付属品に絡みつくことを回避する構成とした船底シートの引張方法である。
【００１５】
請求項４の発明は、請求項１の目的を達成すること、この目的であるシートを収容するためにシート隠蔽用のカバーを利用し、最適かつ簡便な方法で達成することを意図する。
【００１６】
請求項４は、請求項１に記載の船底シートの引張方法であって、その船体の両側面に、シート隠蔽用のカバーを付設する構成とした船底シートの引張方法である。
【００１７】
【００１８】
【００１９】
【００２０】
【発明の効果】
【００２１】
請求項１の発明は、船体の船底を囲繞できる大きさを有するシートは、シートの長手方向、又は長手方向と直交する幅方向で複数に分割されており、分割されたシートが合体するための噛合歯を設けるシートの端部を自由端側端部とし、船体に係止するためのシートの端側を基端側とし、分割されたシートの自由端側端部に多数の噛合歯をそれぞれ設け、多数の噛合歯同士の係止及び／又は係脱を図る係止具を設けた構成であって、
シートの基端側を、船体の略全長の少なくとも一側面に係止し、また係止具に係止したロープの自由端を、船体の船上に設け、船上に設けたロープの自由端の手繰り操作で、船首側又は船尾側より船底に係止具を移動して、複数に分割されたシートの各自由端側端部にそれぞれ設けられた噛合歯同士を噛合することで、シートの各自由端側端部同士を合体し、係止具を船尾側又は船首側に移動し、
噛合歯の噛合を介して少なくとも、船体の船底を、シートで囲繞し、船底を隠蔽可能とした船底シートの引張方法である。
【００２２】
従って、請求項１は、シートの長手方向の対峙側に設けた係止手段を、係止具とロープを介して噛合する構成であり、船上での操作が可能となること、この船上での操作で船底及び／又はスクリュー、舵等の付属品（原則として付属品とする）等にシートを簡易に張装できること等の特徴がある。そして、シートを分割する構成として、前記の操作を可能とすることと、経済性の確保と、シートの交換の容易化等が図れること等の利点がある。またロープを竿、錘等の誘導手段（引下げ手段）を利用し、船底及び／又は付属品を確実かつ簡易に隠蔽できる（シートを張装できる）ことの実益がある。さらに本発明は、船底でシートを合体させる構成であるので、海水の出入りが少なく、稚貝の生殖又は胞子等の生殖を低下させることが可能となり有益である。
【００２３】
請求項２の発明は、請求項１に記載の船底シートの引張方法であって、船上に設けたロープの自由端の手繰り操作で、船首側又は船尾側より船底に係止具を移動することにかえて、ロープ及び係止具を、竿、錘等の誘導手段で、船底及び／又は船底の近傍に誘導する構成とした船底シートの引張方法である。
【００２４】
従って、請求項２は、請求項１の目的を達成できること、この目的である船体の船首側等の隠蔽を行うに際し、誘導手段を利用した最適な方法で達成できること等の特徴がある。
【００２５】
請求項３の発明は、請求項１に記載のロープが船体の側面に倣って移動し、ロープが船上の付属品に絡みつくことを回避する構成とした船底シートの引張方法である。
【００２６】
従って、請求項３は、請求項１の目的を達成できること、この目的である船底等を隠蔽するためにロープを利用し、最適かつ簡便な方法で達成できること等の特徴がある。
【００２７】
請求項４の発明は、請求項１に記載の船底シートの引張方法であって、その船体の両側面に、シート隠蔽用のカバーを付設する構成とした船底シートの引張方法である。
【００２８】
従って、請求項４は、請求項１の目的を達成できること、この目的であるシートを収容するためにシート隠蔽用のカバーを利用し、最適かつ簡便な方法で達成できること等の特徴がある。
【００２９】
【００３０】
【００３１】
【００３２】
【発明を実施するための最良の形態】
【００３３】
本発明の一例を説明する。
【００３４】
本発明の好適な一例の実施の形態を説明する図面は、図１は船体をシートで少なくとも船底を囲繞した状態の側面図、図２はシートを捲装しカバー内に収容した状態の側面図、図３はシートを船体の略全周面に捲装し、カバーで隠蔽した状態を示す正面図（船首側より視認した図）、図４はカバーを開放し、かつシートを海面に垂らした状態の正面図、図５は図４の平面図、図６はシートを海面に垂らした状態で、ロープを船尾側に引張った平面図、図７は係止具を誘導手段で船首側のシートの上端から、このシートの下端に移動する前段状態を示した正面図、図８−１は図７の係止具を誘導手段で船首側のシートの上端から、このシートの下端に移動し、この船首側の船底に至った状態を示した正面図、また図８−２は図８−１の側面図、図９−１は図８−１の係止具を誘導手段で船首側のシートの上端から下端の船底に至り、その後、ロープの引張りでシートの船尾側に至った状態を示した側面図、また図９−２は図９−１の背面図（船尾側より視認した図）、図１０−１は図９−２の状態より誘導手段を取外し、シートで船底を囲繞した状態（カバーの終了時）を示した側面図、図１０−２は図１０−１の正面図、図１０−３は図１０−１の背面図、図１１はシートの長手方向において複数に分割した方法の使用例を示した側面図、図１２は図１１の船尾側を示した正面図、図１３は喫水線に漬かったシートを廃棄する一例を示した模式図である。また、本発明の好適な参考例の形態を説明する図面は、図１４−１はシートの他の分割方式を示した側面図、図１４−２は図１４−１の展開平面図である。
【００３５】
先ず、船底シートの構成を説明すると、図１〜図１０−３の例では、船体Ａの長手方向Ｘにおいて二分割２した方式を、また図１１〜図１３の例では、船体Ａの長手方向Ｘにおいて四分割２した方式を、さらに図１４−１、図１４−２の例では、船体Ａの幅方向Ｙ（長手方向Ｘと直交する方向）において三分割２した方式を、それぞれ示すが、一例であり他の分割２方式もあり得る。また分割２する枚数は限定されず、船体Ａの大きさ、形状又は希望と、海中Ｂの状態、シートの強度・物性等の各条件と希望等を考慮して必要時に決定する。
【００３６】
シート１は二枚又は数枚に分割２されており、このシートの基端側１００は船体Ａの略全長Ａ１（全周面）に係止又は着脱自在に係止され、その自由端側１０１には係止手段３が設けられている。この係止手段３は、雄側（一方）の噛合歯３００と、雌側（他方）の噛合歯３０１であり、この噛合歯３００、３０１の噛合を利用して分割２箇所の一体化を図る。尚、この噛合歯３００、３０１を面ファスナー等の他の手段で代替することも可能である。そして、この噛合歯３００、３０１の噛合及び／又は噛合解除は係止具４（スライダー）の移動で行い、原則として、誘導手段５により、海中Ｂに沈めるか、海中Ｂでの位置を確保する。
【００３７】
図中Ａ２は船首側、Ａ３は船尾側、Ａ４は船底、Ａ５は船上、Ａ６は付属品を示す。
【００３８】
次に船底Ａ４を隠蔽するシート１の張装方法を説明すると、図３の最初の状態（航海時も略同じ）で、シート１を船体Ａの略全長Ａ１（略全周面）に捲装し、この捲装したシート１を船体Ａに設けたカバー１０で隠蔽した状態である。このようにカバー１０で隠蔽することで、シート１の収容を容易にすること、又は航海を可能とすること等を意図する。しかし、図示しないがシート１は取外し収容する（又は船体Ａに取付け）ことも可能である。続いてシート１を捲装している紐１１を取外し、シート１を開放し、このシート１を海面に垂らした図４の状態が確保できる。このシート１は自重で海中Ｂに沈める場合と、海面に浮遊する場合とが考えられるが、何れの場合も原則として目的を達成できる。
【００３９】
そこで、係止具４で噛合歯３００、３０１の基を噛合し、この噛合歯３００、３０１の噛合を順次確保するために、先ず、係止具４を移動する。尚、以下、船首側Ａ２から船尾側Ａ３に向かってシート１を張装する方法を説明する。しかし、逆に船尾側Ａ３から船首側Ａ２に向かってシート１を張装する方法も可能であるが説明及び／又は図面は省略する。そして、この移動を図５、図６に示したロープ１２の操作と、手繰り等の手段を利用して行うこと、又は船上Ａ５での人の移動で行い、海中Ｂでの人の移動及び／又は厄介な操作を無くすことを意図し、次のような方法で行う。即ち、図７から図８−１、図８−２に示した状態であり、例えば、図７の如く、誘導手段５を活用し、係止具４を船首側Ａ２（逆の例では、船尾側Ａ３である。以下、省略する）の船底Ａ４に誘導するか、又は強制的に押し下げる等の方法を採用する。この方法により、当該係止具４の移動で、船首側Ａ２のシート１の上端に設けられた噛合歯３００、３０１から、この船首側Ａ２のシート１の下端迄に設けられた噛合歯３００、３０１が噛合されるとともに、この部位に設けられた噛合歯３００、３０１の噛合で、このシート１の船首側Ａ２の上端から当該船首側Ａ２の船底Ａ４に至る部位が合体されて前述の如く、図８−１、図８−２の状態となる。
【００４０】
その後、ロープ１２を引張り、係止具４を船尾側Ａ３の船底Ａ４に移動することで、図９−１の如く（参照）、前記シート１の船首側Ａ２の上端から、当該船尾側Ａ３の船底Ａ４に設けられた噛合歯３００、３０１が噛合され、かつこの部位のシート１が合体される。この状態まで、誘導手段５を海中Ｂに据え置くことが理想であるが、限定されず、例えば、ひとまず誘導手段５は船上Ａ５におくことも可能である。但し、この誘導手段５を海中Ｂに据え置くことは、係止具４の確実な移動と、シート１の波による動きを規制し、同様に当該係止具４の移動を図ることが理想である。そして、この際に、船舶の付属品Ａ６が通常は船底Ａ４より下がっていることから、誘導手段５（他の器具でも可能である）を利用し、この付属品Ａ６の下側に誘導するか、又は強制的に押し下げる等の方法を採用する。この状態を図９−２に示す。
【００４１】
続いて、ロープを引張り、船上Ａ５に引上げた誘導手段５等を活用し、係止具４を船尾側Ａ３の船底Ａ４から当該船上Ａ５に移動することで、図１０−１の如く、この船尾側Ａ３のシート１の下端に設けられた噛合歯３００、３０１から、この船尾側Ａ３のシート１の上端迄に設けられた噛合歯３００、３０１が噛合されるとともに、この部位に設けられた噛合歯３００、３０１の噛合で、このシート１の船尾側Ａ３の下端から当該船尾側Ａ３の船上Ａ５に至る部位が合体され、図１０−２、図１０−３の状態となる。またロープ１２及び／又はシート１の付属品Ａ６への絡み付きを回避できる利点がある。
【００４２】
以上の図３〜図１０−３に示した作業を終了することで、少なくとも船底Ａ４及び／又は付属品Ａ６はシート１で囲繞する（隠蔽される）。尚、シート１と船底Ａ４の隙間には、海水が若干入るが、貝、藻類の稚貝、胞子等の侵入防止と、海水の出入りが少なく、稚貝の生殖又は胞子等の生殖を低下させることが可能となり、従来の如く、この種の貝、藻類等の生殖を回避できること、また貝等の水中生殖物を忌避できること等の利点がある。そして、この例では、二分割２したシート１の交換は、原則として、一年をめどに交換する。また個別に交換することも可能である。このような交換方式は、経費の削減化、簡便化等に寄与できる。またシート１は清掃もあり得る（他の例も同じ）。
【００４３】
尚、シート１の取外しに対しては詳述しないが、前述張装する操作の逆で行うことを原則とする。
【００４４】
また図１１〜図１３の例では、シート１を喫水線Ｂ１の上方で噛合歯３０２、３０２（長手方向Ｘの両側）を有する分割２したシート１の（左右）分割片１０２（分割片１０２とする）を形成し、また下方には噛合歯３０３、３０３を有する分割２したシート１の（左右）分割本体１０３（分割本体１０３とする）を形成する。そして、図１１、図１２の如く、この分割片１０２と分割本体１０３は噛合歯３０２、３０３を係止具４００で噛合することで二枚のシート１とする構造である。そして、この噛合状態では前述の例と同様に、長手方向Ｘにおいても噛合歯３００、３０１により分割２する構成であり、その取扱いは前述の例に準ずる（一例である）。但し、分割片１０２で船体Ａの船尾側Ａ３は、補助の噛合歯３０４、３０５を設け、この噛合歯３０４、３０５を係止具４０１で係止する（船首側Ａ２は省略する）。そして、この例では、図１３に示すように、噛合歯３０２、３０２と噛合歯３０３、３０３の噛合を解除し、原則として分割本体１０３を廃棄することも可能であり、簡便化と、清掃の回避と、又は廃棄対象シート１（分割本体１０３）の減少化等を図ることを意図する。尚、係止具４０１の操作は、竿等の誘導手段５とか人手等で行う。また取外しは前述の例が基本であるが限定されない。
【００４５】
尚、参考例であるが、図１４−１、図１４−２はシート１を船体Ａの幅方向Ｙで三分割２する方式であり、このシート１の分割２側の自由端側１０１には、噛合歯３００、３０１と係止具４がそれぞれ設けられている。またロープ１２も同様である。そして、この例では船首側Ａ２のシート１の端部に噛合歯３００、３０１を対峙して設け、この噛合歯３００、３０１を係止具４で噛合する。また船尾側Ａ３はシート１を延長して設け、この延長したシート１の端部に噛合歯３００、３０１を対峙して設け、この噛合歯３００、３０１を係止具４で噛合する。尚、この例では、ロープ１２を幅方向Ｙにおけるそれぞれの操作及び／又は必要により、船体Ａの側面、船首側Ａ２等における誘導手段５の使用を行うことで、この三分割のシート１を張装できる。尚、船首側Ａ２と船尾側Ａ３の噛合歯３００、３０１の噛合は、別体のロープ１２と誘導手段５を使用することで可能であり、他の方法は原則として前述の例に準ずる。またシート１で船底Ａ４を囲繞した方法では、別体のロープ１２のみの引張で船首側Ａ２と船尾側Ａ３の噛合歯３００、３０１を噛合することも可能であり、簡易である。そして、この例の如く、三分割２方式では、シート１の交換は、原則として、一年をめどに交換する。また個別に交換することも可能である。このような交換方式は、一層の経費の削減化、簡便化、ごみ発生の減少化等に寄与できる。
【００４６】
そして、本発明では、分割２の方法、数、方向等及び／又はシート１の数、方向等の各構造は図、又は説明の各例に限定されない。また以上の如く、各例とも各シート１の張装、ロープ１２の引張等の手順及び／又は方法、その構造は、船体Ａの構造、係留条件、気候条件等に区々であり、簡便かつ安全で、迅速な方法が採用される。
【図面の簡単な説明】
【００４７】
【図１】図１は船体をシートで少なくとも船底を囲繞した状態の側面図
【図２】図２はシートを捲装しカバー内に収容した状態の側面図
【図３】図３はシートを船体の略全周面に捲装し、カバーで隠蔽した状態を示す正面図（船首側より視認した図）
【図４】図４はカバーを開放し、かつシートを海面に垂らした状態の正面図
【図５】図５は図４の平面図
【図６】図６はシートを海面に垂らした状態で、ロープを船尾側に引張った平面図
【図７】図７は係止具を誘導手段で船首側のシートの上端から、このシートの下端に移動する前段状態を示した正面図
【図８−１】図８−１は図７の係止具を誘導手段で船首側のシートの上端から、このシートの下端に移動し、この船首側の船底に至った状態を示した正面図
【図８−２】図８−２は図８−１の側面図
【図９−１】図９−１は図８−１の係止具を誘導手段で船首側のシートの上端から下端の船底に至り、その後、ロープの引張りでシートの船尾側に至った状態を示した側面図
【図９−２】図９−２は図９−１の背面図（船尾側より視認した図）
【図１０−１】図１０−１は図９−２の状態より誘導手段を取外し、シートで船底を囲繞した状態（カバーの終了時）を示した側面図
【図１０−２】図１０−２は図１０−１の正面図
【図１０−３】図１０−３は図１０−１の背面図
【図１１】図１１はシートの長手方向において複数に分割した方法の使用例を示した側面図
【図１２】図１２は図１１の船尾側を示した正面図
【図１３】図１３は喫水線に漬かったシートを廃棄する一例を示した模式図
【図１４−１】図１４−１はシートの他の分割方式を示した側面図
【図１４−２】図１４−２は図１４−１の展開平面図
【符号の説明】
【００４８】
１                シート
１００            基端側
１０１            自由端側
１０２            シート１の分割片
１０３            シート１の分割本体
２                分割
３                係止手段
３００            噛合歯
３０１            噛合歯
３０２            噛合歯
３０３            噛合歯
３０４            噛合歯
３０５            噛合歯
４                係止具
４００            係止具
４０１            係止具
５                誘導手段
１０              カバー
１１              紐
１２              ロープ
Ａ                船体
Ａ１              略全長
Ａ２              船首側
Ａ３              船尾側
Ａ４              船底
Ａ５              船上
Ａ６              付属品
Ｂ                海中
Ｂ１              喫水線
Ｘ                長手方向
Ｙ                幅方向